(57)【特許請求の範囲】
【請求項１】
音声再生中において、キータッチ音によって再生音が途切れることが再生音の聴取上支障をきたすような第一操作が行なわれたか、もしくはキータッチ音によって再生音が途切れることが再生音の聴取上支障をきたさないような第二操作が行なわれたかを判別する判別手段と、
前記判別手段による判別の結果、再生音の聴取上支障をきたすような操作が行なわれたと判別されるとキータッチ音を出力させないようにする第一制御手段と、
前記判別手段による判別の結果、再生音が途切れることが再生音の聴取上支障をきたさないような操作が行なわれたと判別されるとキータッチ音を出力させる第二制御手段と、
音声再生中でない場合において、前記第一操作および前記第二操作がなされるとキータッチ音を出力させる第三制御手段を備えていることを特徴とする、音声再生装置。
【請求項２】
音声再生中において、キータッチ音によって再生音が途切れることが再生音の聴取上支障をきたすような第一操作が行なわれたか、もしくはキータッチ音によって再生音が途切れることが再生音の聴取上支障をきたさないような第二操作が行なわれたかを判別する判別手段と、
前記判別手段による判別の結果、再生音の聴取上支障をきたすような操作が行なわれたと判別されるとキータッチ音を出力させないようにするとともに表示部を一時的に点滅させる第一制御手段と、
前記判別手段による判別の結果、再生音が途切れることが再生音の聴取上支障をきたさないような操作が行なわれたと判別されるとキータッチ音を出力させる第二制御手段と、
音声再生中でない場合において、前記第一操作および前記第二操作がなされるとキータッチ音を出力させる第三制御手段を備えていることを特徴とする、音声再生装置。
【発明の詳細な説明】
【０００１】
【発明の属する技術分野】
この発明は、音声再生装置に関する。
【０００２】
【従来の技術】
携帯型の音声再生装置および音声記録再生装置のなかには、キー、ボタン、  スイッチ等を操作した際の操作確認のために、キータッチ音（ＢＥＥＰ音）を出力させるものがある。しかしながら、音声再生中において、キータッチ音が出力されると、音声（音楽）の聞き取りが阻害されるという問題がある。
【０００３】
そこで、操作確認のためのキータッチ音を全く出力させないように設定できるものも既に開発されている。しかしながら、携帯型の音声再生装置および音声記録再生装置では、表示部の表示内容を見ないで操作することが多いため、操作確認のためのキータッチ音を全く出力させないようにさせると、ユーザが行った操作が機器に伝わったか否かを判断できないという問題がある。
【０００４】
【発明が解決しようとする課題】
この発明は、音声再生中において、キータッチ音によって再生音が途切れることが再生音の聴取上支障をきたすような操作が行われた場合には、キータッチ音を出力させないようにできるとともに、音声再生中において、キータッチ音によって再生音が途切れることが再生音の聴取上支障をきたさないような操作が行われた場合には、キータッチ音を出力させることができる音声再生装置を提供することを目的とする。
【０００５】
【課題を解決するための手段】
請求項１に記載の発明は、音声再生中において、キータッチ音によって再生音が途切れることが再生音の聴取上支障をきたすような第一操作が行なわれたか、もしくはキータッチ音によって再生音が途切れることが再生音の聴取上支障をきたさないような第二操作が行なわれたかを判別する判別手段と、前記判別手段による判別の結果、再生音の聴取上支障をきたすような操作が行なわれたと判別されるとキータッチ音を出力させないようにする第一制御手段と、前記判別手段による判別の結果、再生音が途切れることが再生音の聴取上支障をきたさないような操作が行なわれたと判別されるとキータッチ音を出力させる第二制御手段と、音声再生中でない場合において、前記第一操作および前記第二操作がなされるとキータッチ音を出力させる第三制御手段を備えていることを特徴とする。
【０００６】
請求項２に記載の発明は、音声再生中において、キータッチ音によって再生音が途切れることが再生音の聴取上支障をきたすような第一操作が行なわれたか、もしくはキータッチ音によって再生音が途切れることが再生音の聴取上支障をきたさないような第二操作が行なわれたかを判別する判別手段と、前記判別手段による判別の結果、再生音の聴取上支障をきたすような操作が行なわれたと判別されるとキータッチ音を出力させないようにするとともに表示部を一時的に点滅させる第一制御手段と、前記判別手段による判別の結果、再生音が途切れることが再生音の聴取上支障をきたさないような操作が行なわれたと判別されるとキータッチ音を出力させる第二制御手段と、音声再生中でない場合において、前記第一操作および前記第二操作がなされるとキータッチ音を出力させる第三制御手段を備えていることを特徴とする。
【０００７】
【発明の実施の形態】
以下、図面を参照して、この発明を、パソコンと接続することによって音声データを内蔵メモリに記録できるとともに内蔵メモリに記録した音声データを再生して聞くことができる携帯型音声再生装置に適用した場合の実施の形態について説明する。
【０００８】
図１および図２は、携帯型音声再生装置の外観を示している。
【０００９】
携帯型音声再生装置本体の上面には、ＬＣＤ表示部１が設けられている。携帯型音声再生装置本体の１側面には、ジョグスイッチ２、一対の音量ボタン３、４およびモードスイッチ５が設けられている。携帯型音声再生装置本体の一方の端面には、ＵＳＢケーブル接続端子６が設けられている。ＵＳＢケーブル接続端子６は、開閉カバー７によって覆うことができるようになっている。携帯型音声再生装置本体の他方の端面には、ヘッドホン端子８が設けられている。
【００１０】
図３は、携帯型音声再生装置の電気的構成を示している。
【００１１】
携帯型音声再生装置は、ＣＰＵ１０を備えている。ＣＰＵ１０は、プログラム等を記憶したＲＯＭ（図示略）、内蔵メモリ１１、ＵＳＢケーブル接続端子６、ＬＣＤ表示部１、操作部２０、オーディオ再生部１２、ＢＥＥＰ音（キータッチ音）発生部１３が接続されている。ＬＣＤ表示部１は、バックライト部１ａを備えている。操作部２０には、ジョグスイッチ２、一対の音量ボタン３、４、モードスイッチ５等が含まれている。
【００１２】
オーディオ再生部１２の出力端子およびＢＥＥＰ音発生部１３の出力端子は、それぞれ切替スイッチ１４の異なる入力端子に接続されている。切替スイッチ１４の出力端子は出力アンプ１５の入力端子に接続されている。出力アンプ１５の出力端子は、ヘッドホン端子８に接続されている。切替スイッチ１４は、ＣＰＵ１０によって切替制御されるが、常時はオーディオ再生部１２の出力を選択するように切り替えられている。
【００１３】
ＵＳＢケーブル接続端子６を介して図示しないパソコンを携帯型音声再生装置に接続した状態で、パソコンから圧縮された楽曲データ（音声データ）をダウンロードすることによって、内蔵メモリ１１に圧縮された楽曲データが記録される。
【００１４】
再生時には、内蔵メモリ１１に記録された圧縮楽曲データがＣＰＵ１０を介してオーディオ再生部１２に送られ、オーディオ再生部１２によって復号化される。オーディオ再生部１２によって得られた楽曲データは、切替スイッチ１４を介して出力アンプ１５に送られて増幅された後、ヘッドホン端子８を介してヘッドホン（図示略）に送られる。
【００１５】
操作部２０内のジョグスイッチ２、一対の音量ボタン３、４（−方向ボタン３と＋方向のボタン４）またはモードスイッチ５が操作された場合には、原則的には、ＣＰＵ１０はＢＥＥＰ音発生部１３によってＢＥＥＰ音を発生させるとともに、一時的に切替スイッチ１４をＢＥＥＰ音発生部１３側に切り替える。これにより、ＤＥＥＰ音信号が切替スイッチ１４、出力アンプ１５およびヘッドホン端子８を介してヘッドホン（図示略）に送られる。
【００１６】
この実施の形態では、音声再生中でない場合に操作部２０内のジョグスイッチ２、一対の音量ボタン３、４またはモードスイッチ５が操作されたときには、操作確認のためのＢＥＥＰ音を出力させる。音声再生中において、操作確認のためのＢＥＥＰ音によって再生音が途切れることが再生音の聴取上支障をきたすような操作が行われた場合には、ＢＥＥＰ音を出力させずに、ＬＣＤ表示部１内のバックライト部１ａを点滅させる。音声再生中において、操作確認のためのＢＥＥＰ音によって再生音が途切れることが再生音の聴取上支障をきたさないような操作が行われた場合には、ＢＥＥＰ音を出力させる。
【００１７】
つまり、操作確認のためのＢＥＥＰ音によって再生音が途切れることが再生音の聴取上支障をきたすような音声再生中の操作と、再生音の聴取上支障をきたさないような音声再生中の操作とが予め区別されて図示しないＲＯＭに記憶されている。音声再生中において何らかの操作が行われた場合には、ＣＰＵ１０は、操作確認のためのＢＥＥＰ音によって再生音が途切れることが再生音の聴取上支障をきたすような操作であるか、再生音の聴取上支障をきたさないような操作であるかを判別する。
【００１８】
音声再生中に行われた操作が、操作確認のためのＢＥＥＰ音による再生音の途切れが再生音の聴取上支障をきたすような操作に該当する場合には、ＣＰＵ１０は、ＢＥＥＰ音発生部１３によってＢＥＥＰ音を発生させないとともに切替スイッチ１４の切り替えも行わないが、バックライト部１ａを一時的に点滅させる。音声再生中に行われた操作が、操作確認のためのＢＥＥＰ音による再生音の途切れが再生音の聴取上支障をきたさないような操作に該当する場合には、ＣＰＵ１０は、ＢＥＥＰ音発生部１３によってＢＥＥＰ音を発生させるとともに、一時的に切替スイッチ１４をＢＥＥＰ音発生部１３側に切り替える。
【００１９】
操作確認のためのＢＥＥＰ音によって再生音が途切れることが再生音の聴取上支障をきたすような音声再生中の操作と、再生音の聴取上支障をきたさないような音声再生中の操作ついて説明する。
【００２０】
まず、再生時の操作の種類について説明する。
【００２１】
（１）再生時の基本的な操作について
まず、ジョグスイッチ２を押すと電源が入り、再生が開始される。音量ボタン３、４を押すことによって音量を調節する。最後まで、再生されると、自動的に電源が切れる。途中で再生を止めたい場合には、ジョグスイッチ２を約３秒押すと、電源が切れる。
【００２２】
（２）再生中の他の操作について
・再生中に一時停止させる場合には、ジョグスイッチ２を押す。
・一時停止を解除させる場合には、一時停止中にジョグスイッチ２を押す。
・現在聴いている曲の頭出しをする場合には、ジョグスイッチ２を左に一度動かす。
・前の曲、さらに前の曲の頭出しをする場合には、ジョグスイッチ２を左に繰り返し動かす。
・次の曲の頭出しをする場合には、ジョグスイッチ２を右に一度動かす。
・さらに先の曲の頭出しをする場合には、ジョグスイッチ２を右に繰り返し動かす。
・早戻しをする場合には、ジョグスイッチ２を左に動かしてそのまま保持する。
・早送りをする場合には、ジョグスイッチ２を右に動かしてそのまま保持する。
【００２３】
（３）モード選択操作について
モードの種類には、大きく分けて、たとえば、再生モード、バスブーストモード、サウンドモード等がある。
【００２４】
再生モードには、たとえば、通常再生、１曲の繰り返し再生、全曲の繰り返し再生等の詳細モードがある。バスブーストモードには、たとえば、ＢＡＳＳ１、ＢＡＳＳ２、マナー等の詳細モードがある。サウンドモードには、たとえば、ノーマル、ジャズ、ポップ、ロック等の詳細モードがある。
【００２５】
このようなモード選択を行うには、まず、モードスイッチ５を押すことによって、再生モード、バスブーストモード、サウンドモードのうちから、設定したいモードを選択した後、ジョグスイッチ２を左または右に動かして、所望の詳細モードを選択する。
【００２６】
操作確認のためのＢＥＥＰ音によって再生音が途切れることが再生音の聴取上支障をきたすような音声再生中の操作には、上記（３）のモード選択操作、上記（１）内のボリューム調節操作が該当する。したがって、これらの操作が再生中に行われた場合には、ＢＥＥＰ音は出力されない。ただし、これらの操作が再生中に行われた場合には、バックライト部１ａが一時的に点滅せしめられる。
【００２７】
操作確認のためのＢＥＥＰ音によって再生音が途切れることが再生音の聴取上支障をきたさないような音声再生中の操作には、上記（２）の一時停止操作、一時停止解除操作、曲の頭出し操作、早戻し操作および早送り操作が該当する。したがって、これらの操作が再生中に行われた場合には、ＢＥＥＰ音が出力される。
【００２８】
【発明の効果】
この発明によれば、音声再生中において、キータッチ音によって再生音が途切れることが再生音の聴取上支障をきたすような操作が行われた場合には、キータッチ音を出力させないようにできるとともに、音声再生中において、キータッチ音によって再生音が途切れることが再生音の聴取上支障をきたさないような操作が行われた場合には、キータッチ音を出力させることができるようになる。また、キータッチ音を出力させないときには、表示部を一時的に点滅させることにより、ユーザが行った操作が機器に伝わったかいなかを判断できるようになる。
【図面の簡単な説明】
【図１】携帯型音声再生装置を斜め上方から見た斜視図である。
【図２】携帯型音声再生装置の背面図である。
【図３】携帯型音声再生装置の電気的構成を示すブロック図である。
【符号の説明】
１  ＬＣＤ表示部
１ａ  バックライト部
２  ジョグスイッチ
３、４  音量ボタン
５  モードスイッチ
６  ＵＳＢケーブル接続端子
８  ヘッドホン端子
１０  ＣＰＵ
１１  内蔵メモリ
１２  オーディオ再生部
１３  ＢＥＥＰ音（キータッチ音）発生部
１４  切替スイッチ
１５  出力アンプ
２０  操作部
【図１】
0004243073.tif 000002
【図２】
0004243073.tif 000003
【図３】
0004243073.tif 000004